(57)【要約】【課題】可動ユニットがインストルメントパネルに設けられた特に稼働中の他の機器の前面を覆うことを防止できる電子機器を提供する。【解決手段】電子機器としての表示装置５１はインパネに取り付けられる。インパネには空調装置５２の操作装置５３と再生装置６１が取り付けられる。操作装置５３は表示装置５１の上方に配される。再生装置６１は表示装置５１の下方に配される。表示装置５１はケーシングと表示ユニット３と駆動機構４と制御ユニット６６を備えている。駆動機構４は表示ユニット３をケーシングに出し入れするとともにケーシングの外部で正起立位置又は逆起立位置に位置付ける。制御ユニット６６は空調装置５２と再生装置６１の稼働状況に応じて稼働中の装置５２，６１の前面を表示ユニット３が覆わないように駆動機構４を制御して表示ユニット３を正起立位置又は逆起立位置に位置付ける。【選択図】図１７
2006224899.tif 000002
【特許請求の範囲】
【請求項１】
ケーシングの内外に移動自在な可動ユニットと、
前記可動ユニットを、前記ケーシングの内部に収容する収容位置と、前記ケーシングの外部における互いに異なる複数の位置の各々とに亘って移動させる移動手段と、
前記移動手段を制御する制御手段と、を備えた電子機器であって、
前記制御手段は、前記可動ユニットが前記複数の位置のうち少なくとも一つの位置に位置付けられた際に、前面の少なくとも一部が覆われる他の機器の稼働状態に応じて、前記可動ユニットを前記複数の位置のいずれかの位置に位置付けさせることを特徴とする電子機器。
【請求項２】
前記可動ユニットは、画像を表示可能な表示面を有する表示手段であり、
前記移動手段は、前記表示手段の一端を軸支して、前記収容位置から前記ケーシングの外部に引き出された基準位置と前記基準位置から一の方向に起立した正起立位置とに亘って前記表示手段を前記一端を中心として回転自在に支持するとともに、前記基準位置と前記基準位置から前記一の方向に対しての逆方向に起立した逆起立位置とに亘って前記表示手段を前記一端を中心として回転自在に支持する回転支持手段を備えたことを特徴とする請求項１記載の電子機器。
【請求項３】
前記回転支持手段は、前記収容位置と前記基準位置との間で前記表示手段を移動可能に支持することを特徴とする請求項２記載の電子機器。
【請求項４】
前記制御手段は、前記表示手段が前記正起立位置と前記逆起立位置の少なくとも一つの位置に位置付けられた際に前面の少なくとも一部が覆われる他の機器の稼働状態に応じて、前記表示手段を前記正起立位置と前記逆起立位置のいずれかの位置に位置付けるように、前記回転支持手段を制御することを特徴とする請求項２に記載の電子機器。
【請求項５】
前記制御手段は、前記表示手段が前記正起立位置と前記逆起立位置の少なくとも一つの位置に位置付けられた際に前面の少なくとも一部が覆われる他の機器の稼働状態に応じて、前記基準位置にある前記表示手段を前記正起立位置と前記逆起立位置のいずれかの位置に位置付けるように、前記回転支持手段を制御することを特徴とする請求項３に記載の電子機器。
【請求項６】
前記制御手段は、前記他の機器が稼働しているときに、該稼働中の他の機器の前面を覆うことを規制するように、前記表示手段を前記正起立位置と前記逆起立位置のいずれかの位置に位置付けるように、前記回転支持手段を制御することを特徴とする請求項２ないし５のうちいずれか一項に記載の電子機器。
【請求項７】
前記制御手段は、前記表示手段が前記正起立位置に位置付けられた際に前面の少なくとも一部が覆われる第１の他の機器が稼働しており、前記表示手段が前記逆起立位置に位置付けられた際に前面の少なくとも一部が覆われる第２の他の機器が非稼働状態であるときに、前記表示手段を前記逆起立位置に位置付けるように、前記回転支持手段を制御することを特徴とする請求項２ないし６のうちいずれか一項に記載の電子機器。
【請求項８】
前記制御手段は、前記表示手段が前記正起立位置に位置付けられた際に前面の少なくとも一部が覆われる第１の他の機器が非稼働状態であり、前記表示手段が前記逆起立位置に位置付けられた際に前面の少なくとも一部が覆われる第２の他の機器が稼働しているときに、前記表示手段を前記正起立位置に位置付けるように、前記回転支持手段を制御することを特徴とする請求項２ないし６のうちいずれか一項に記載の電子機器。
【請求項９】
前記第１の他の機器の操作回数と、前記第２の他の機器の操作回数との双方を記憶する記憶手段を更に備え、
前記制御手段は、前記第１の他の機器と前記第２の他の機器との双方が稼働しているときに、前記第１の他の機器の操作回数と、前記第２の他の機器の操作回数とに基づいて、前記表示手段を前記正起立位置と前記逆起立位置のいずれかの位置に位置付けるように、前記回転支持手段を制御することを特徴とする請求項７または請求項８記載の電子機器。
【請求項１０】
前記制御手段は、前記第１の他の機器と前記第２の他の機器との双方が稼働しているときに、前記第１の他の機器と前記第２の他の機器のうち操作回数の少ない方の前面の少なくとも一部を覆うように、前記表示手段を前記正起立位置と前記逆起立位置のいずれかの位置に位置付けるべく前記回転支持手段を制御することを特徴とする請求項９記載の電子機器。
【請求項１１】
前記基準位置にある表示手段の前記表示面が一方向とこの一方向に対して逆向きの他方向とのいずれかに相対していることを検出する検出手段を更に備え、
前記移動手段は、前記回転支持手段に加えて前記表示面と平行な軸芯周りの双方向に前記表示手段を回転させることが可能な回転移動手段を備え、
前記制御手段は、表示手段が前記正起立位置又は前記逆起立位置に位置付けられた際に前面の少なくとも一部が覆われる他の機器の稼働状態に加えて、前記検出手段の検出結果に応じて、前記回転支持手段とともに前記回転移動手段を制御することを特徴とする請求項２ないし１０のうちいずれか一項に記載の電子機器。
【請求項１２】
移動自在な可動ユニットと、
前記可動ユニットを、第１の位置と互いに異なる複数の第２の位置の各々とに亘って移動させる移動手段と、
前記移動手段を制御する制御手段と、を備え、
前記制御手段は、前記可動ユニットが前記複数の第２の位置の少なくとも一つの位置に位置付けられた際に前面の少なくとも一部が覆われる他の機器の稼働状態に応じて、前記可動ユニットを前記複数の第２の位置のいずれかの位置に位置付けさせることを特徴とする電子機器。
【発明の詳細な説明】
【技術分野】
【０００１】
本発明は、例えば自動車等の移動体に装着されるとともに、筐体に対し出し入れ自在な表示部を有する電子機器に関する。
【背景技術】
【０００２】
従来から、移動体としての自動車には、電子機器としてのナビゲーション装置（以下カーナビと呼び、例えば、特許文献１参照）などが取り付けられることがある。カーナビは、箱状の本体部と、この本体部に出し入れ自在な可動ユニットとしての表示部とを備えている。
【０００３】
本体部は、扁平な箱状に形成されており、前述した自動車のインストルメントパネルに取り付けられる。本体部は、ナビゲーションユニット、テレビチューナや、ＤＶＤ（Digital Versatile Disk）プレーヤなどを収容している。本体部の前面（使用者と相対しかつ前記インストルメントパネル外に露出する面）に各種の操作スイッチやボタンなどの操作部を設けている。
【０００４】
表示部は、扁平な板状に形成されており、例えば、ＬＣＤ（Liquid CrystalDisplay）などの表示パネルを備えている。表示部は、表示パネルに前述したナビゲーションユニットからの情報、ＤＶＤプレーヤが再生した情報や、テレビチューナが受信したテレビ映像を表示する。
【０００５】
また、前述した本体部は、前述した表示部を本体部に出し入れする駆動機構などを備えている。駆動機構は、表示パネルが下方に相対する状態で前述した表示部を本体部に収容しておき、この表示部を表示パネルの表面に沿って本体部外に一旦移動した後、表示部の下端部を中心として回転する。
【０００６】
前述した構成のカーナビは、筐体内に表示部を収容した状態で、駆動機構が表示パネルの表面に沿って表示部を本体部外に一旦移動する。そして、駆動機構が、下端部を中心として表示部を回転して、表示パネルを前述した自動車の乗員などに相対させる。そして、前述したカーナビは、ナビゲーションユニットからの情報、ＤＶＤプレーヤが再生した情報や、テレビチューナが受信したテレビ映像を表示パネルに表示する。
【特許文献１】特開２００１−１０４１５号公報
【発明の開示】
【発明が解決しようとする課題】
【０００７】
前述したカーナビなどの電子機器は、筐体内に表示パネルが下方に相対する状態で表示部を収容しておき、表示部をスライドさせて筐体外に排出した後、この表示部の下端部のみを中心として回転することにより、表示部に情報を表示する。このように、表示部を本体部外に露出した後、必ず起き上がらせることにより、表示部に情報を表示するようになる。
【０００８】
このため、前述したカーナビは、表示部を必ず起き上がらせるので、該表示部が前述した自動車のインストルメントパネルに取り付けられた他の機器としてのエアコンディショナ装置（以下、エアコンと呼ぶ）のヒータの吹き出し口や操作部などを隠すことがある。即ち、可動ユニットとしての表示部が、他の機器の前面（使用者と相対しかつ前記インストルメントパネル外に露出する面）の少なくとも一部を覆うことがある。このように、インストルメントパネルに設けられた特に稼働中の他の機器の操作部などを表示部が隠すことは、勿論、望ましくない。
【０００９】
本発明の目的は、例えば、可動ユニットがインストルメントパネルに設けられた特に稼働中の他の機器の前面を覆うことを防止できる電子機器を提供することにある。
【課題を解決するための手段】
【００１０】
前記課題を解決し目的を達成するために、請求項１に記載の本発明の電子機器は、ケーシングの内外に移動自在な可動ユニットと、前記可動ユニットを、前記ケーシングの内部に収容する収容位置と、前記ケーシングの外部における互いに異なる複数の位置の各々とに亘って移動させる移動手段と、前記移動手段を制御する制御手段と、を備えた電子機器であって、前記制御手段は、前記可動ユニットが前記複数の位置のうち少なくとも一つの位置に位置付けられた際に、前面の少なくとも一部が覆われる他の機器の稼働状態に応じて、前記可動ユニットを前記複数の位置のいずれかの位置に位置付けさせることを特徴としている。
【００１１】
請求項１２に記載の本発明の電子機器は、移動自在な可動ユニットと、前記可動ユニットを、第１の位置と互いに異なる複数の第２の位置の各々とに亘って移動させる移動手段と、前記移動手段を制御する制御手段と、を備え、前記制御手段は、前記可動ユニットが前記複数の第２の位置の少なくとも一つの位置に位置付けられた際に前面の少なくとも一部が覆われる他の機器の稼働状態に応じて、前記可動ユニットを前記複数の第２の位置のいずれかの位置に位置付けさせることを特徴としている。
【発明を実施するための最良の形態】
【００１２】
以下、本発明の一実施形態にかかる電子機器を説明する。本発明の一実施形態にかかる電子機器は、他の機器の稼働状態に応じて、可動ユニットをケーシングの外部の位置に位置付けるようにしている。こうすることで、稼働中の他の機器の前面を可動ユニットが覆うことを防止している。
【００１３】
移動手段が、表示手段の一端を軸支して、該表示手段を基準位置と正起立位置と逆起立位置とに亘って、回転させる回転支持手段を備えていても良い。こうすることで、表示面で表示する画像を使用者が視認できる位置に、表示手段を確実に位置付けることができる。
【００１４】
また、表示部を正起立位置と逆起立位置とのうち一方に位置付けるので、他の機器の可動状態に応じて、特に稼働中の他の機器の前面を覆うことがないように、表示部を正起立位置と逆起立位置とのうち一方に位置付けることができる。したがって、特に稼働中の他の機器の前面を覆うことなく、表示面で表示する画像を使用者が視認できる位置に、表示手段を確実に位置付けることができる。
【００１５】
さらに、制御手段が、稼働中の他の機器の前面を表示手段が覆わないように、回転支持手段を制御しても良い。
【００１６】
また、第１の他の機器が稼働中で第２の他の機器が非稼働である際に、制御手段が、表示手段を逆起立位置に位置付けるように、回転支持手段と回転移動手段を制御しても良い。
【００１７】
さらに、第２の他の機器が稼働中で第１の他の機器が非稼働である際に、制御手段が、表示手段を正起立位置に位置付けるように、回転支持手段を制御しても良い。
【００１８】
また、第１の他の機器の操作回数と、第２の他の機器の操作回数とを記憶する記憶手段を更に備えて、該記憶手段の記憶した操作回数に基づいて、制御手段が回転支持手段を制御しても良い。
【００１９】
さらに、制御手段は、第１の他の機器と第２の他の機器との双方が稼働中である際に、表示手段が操作回数の少ない方を覆うように、回転支持手段を制御しても良い。
【００２０】
また、基準位置の表示手段の表示面の向きを検出する検出手段と、表示面と平行な軸芯周りの双方に表示部を回転させる回転移動手段と、を備えていても良い。この場合、検出手段と回転移動手段を備えているので、ケーシング内の表示面の向きが如何なる向きであっても、特に稼働中の他の機器の前面を覆うことなく、表示部を正起立位置と逆起立位置とのうち一方に位置付けることいができ、表示面で表示する画像を使用者が視認できる位置に、表示手段を確実に位置付けることができる。
【実施例】
【００２１】
本発明の一実施例を、図１ないし図１９に基づいて説明する。本発明の一実施例にかかる電子機器としての表示装置５１は、図１などに示すカーナビゲーション装置（以下、カーナビと呼ぶ）１を構成する。
【００２２】
カーナビ１は、図１などに示すように、移動体としての自動車のインストルメントパネル（以下、インパネと呼ぶ）Ｄなどに装着される。また、インパネＤには、他の電子機器としての空調装置５２の操作装置５３などが装着される。
【００２３】
空調装置５２の操作装置５３は、カーナビ１即ち表示装置５１の上方に設けられている。空調装置５２の操作装置５３は、本明細書に記した第１の他の機器（勿論、他の機器）をなしている。空調装置５２は、図１７に示すように、送風部５４と、操作装置５３と、とを備えている。送風部５４は、後述の操作部５７に入力された情報通りに、前述した自動車の乗員室内に温風や冷風などの気体を供給する。
【００２４】
操作装置５３は、図１７に示すように、前述したインパネＤに装着される扁平な箱状の筐体５５（図１などに示す）と、表示部５６と、操作部５７と、電源スイッチ（以下、電源ＳＷと記す）５８と、ＲＯＭ５９と、ＣＰＵ６０などを備えている。
【００２５】
表示部５６は、筐体５５の前面（自動車の乗員又は使用者に相対しかつ前記インパネＤ外に露出する面）５５ａに設けられ、液晶ディスプレイ（Liquid Crystal Display）などからなり、かつ文字や画像などの情報を自動車の乗員又は使用者などに向かって表示して視認させるための表示パネル５６ａを備えている。表示パネル５６ａは、空調装置５２の運転状況などを表示する。
【００２６】
操作部５７は、前述した筐体５５の前面５５ａに設けられ、各種のスイッチやボタンなどを備えている。操作部５７は、自動車の乗員又は使用者などに操作されることで、空調装置５２の運転状況を示す情報が入力される。
【００２７】
電源ＳＷ５８は、前述した筐体５５の前面５５ａに設けられている。電源ＳＷ５８は、自動車の乗員又は使用者などに操作されることで、空調装置５２をオン・オフする情報が入力される。
【００２８】
ＲＯＭ５９は、ＣＰＵ６０の動作プログラムを記憶している。ＣＰＵ６０は、ＲＯＭ５９に記憶されたプログラム通りに、電源ＳＷ５８、表示部５６、送風部５４、操作部５７の動作を制御して、空調装置５２全体の制御を司る。ＣＰＵ６０は、電源ＳＷ５８がオンであるか否かを示す情報即ち空調装置５２が稼働中であるか否かを示す情報を、後述する制御ユニット６６に向けて出力する。また、ＣＰＵ６０は、前述した操作部５７が操作されると、該操作部５７が操作されたことを示す情報を制御ユニット６６に向けて出力する。
【００２９】
前述した空調装置５２は、電源ＳＷ５８がオンされると、操作部５７に入力された運転状況通りに、ＣＰＵ６０が送風部５４などを制御して、乗員室内に気体を供給する。
【００３０】
カーナビ１は、図２ないし図１０に示すように、再生装置６１と、前述した表示装置５１と、を備えている。
【００３１】
再生装置６１は、表示装置５１の後述するケーシング２内に収容されている。再生装置６１は、電子機器としての表示装置５１の下方に設けられている。再生装置６１は、本明細書に記した第２の他の機器（勿論、他の機器）をなしている。
【００３２】
再生装置６１は、図２などに示すように、ケーシング２に設けられた挿入口２ｂと、再生部１０（図１７に示す）と、ナビゲーションユニット９（図１７に示す）と、テレビチューナ１１（図１７に示す）と、操作部１３と、電源スイッチ（以下、電源ＳＷと記す）６２と、ＲＯＭ６（図１７に示す）と、ＣＰＵ８（図１７に示す）などを備えている。
【００３３】
挿入口２ｂは、ケーシング２の前面（自動車の乗員又は使用者に相対しかつ前記インパネＤ外に露出する面）２ａに設けられ、該ケーシング２の内外を連通している。なお、前面２ａは、第２の他の機器即ち再生装置６１の前面もなしている。挿入口２ｂは、周知のＤＶＤ（Digital Versatile Disk）―ＲＯＭ（Read Only Memory）やＤＶＤビデオなどの記憶媒体を通す。また、挿入口２ｂの近傍には、該挿入口２ｂ内にＤＶＤ―ＲＯＭやＤＶＤビデオなどの記録媒体が挿入されているか否かを検出するセンサが設けられている。該センサは、挿入口２ｂ内にＤＶＤ―ＲＯＭやＤＶＤビデオなどの記録媒体が挿入されたことを検出すると、この検出した情報をＣＰＵ８に向けて出力する。
【００３４】
再生部１０は、前述したＤＶＤ―ＲＯＭやＤＶＤビデオなどの記録媒体を再生して、これらのＤＶＤ―ＲＯＭやＤＶＤビデオなどからの情報を表示装置５１の後述する表示ユニット３の表示パネル３ａに表示する。
【００３５】
ナビゲーションユニット９は、ＧＰＳ（Global Positioning System：全地球測位システム）などを用いて、自動車の位置を測定したり、自動車の移動方向などを算出する。そして、ナビゲーションユニット９は、自動車の位置や移動方向などを表示ユニット３の表示パネル３ａに表示する。
【００３６】
テレビチューナ１１は、テレビ放送を受信して、受信して得た映像を表示ユニット３の表示パネル３ａに表示する。
【００３７】
操作部１３は、前述したケーシング２の前面２ａに設けられ、複数の操作ボタン１４などを備えている。操作部１３は、自動車の乗員又は使用者などに操作されることで、再生装置６１の運転状況を示す情報が入力される。
【００３８】
操作部１３は、表示パネル３ａに表示する情報を、ナビゲーションユニット９からの情報と、再生部１０からの情報と、テレビチューナ１１からの情報とを切り換えるためなどに用いられる。また、操作部１３は、ケーシング２内から表示ユニット３を出し入れするためや、後述の正起立位置又は逆起立位置で、表示ユニット３の向きを調整するためなどに用いられる。このため、操作部１３は、正起立位置又は逆起立位置にある表示ユニット３を後述の収容位置に移動させるための指令を発する。
【００３９】
電源ＳＷ６２は、前述したケーシング２の前面２ａに設けられている。電源ＳＷ６２は、自動車の乗員又は使用者などに操作されることで、再生装置６１をオン・オフする情報が入力される。
【００４０】
ＲＯＭ６は、ＣＰＵ８の動作プログラムを記憶している。ＣＰＵ８は、ＲＯＭ６に記憶されたプログラム通りに、電源ＳＷ６２、再生部１０、ナビゲーションユニット９、テレビチューナ１１の動作を制御して、再生装置６１全体の制御を司る。ＣＰＵ８は、電源ＳＷ６２がオンであるか否かを示す情報即ち再生装置６１が稼働中であるか否かを示す情報を、後述する制御ユニット６６に向けて出力する。
【００４１】
また、ＣＰＵ８は、前述したセンサが挿入口２ｂ内にＤＶＤ−ＲＯＭやＤＶＤビデオなどの記録媒体が挿入されたことを検出すると、挿入口２ｂ内にＤＶＤ―ＲＯＭやＤＶＤビデオなどの記録媒体が挿入されたことを示す情報を制御ユニット６６に向けて出力する。また、ＣＰＵ８は、前述した操作部１３が操作されると、該操作部１３が操作されたことを示す情報を制御ユニット６６に向けて出力する。
【００４２】
前述した再生装置６１は、電源ＳＷ６２がオンされると、操作部１３に入力された運転状況通りに、ＣＰＵ８が再生部１０、ナビゲーションユニット９及びテレビチューナ１１などを制御する。
【００４３】
表示装置５１は、扁平な箱状のケーシング２と、該ケーシング２内に出し入れ自在に設けられた表示手段としての表示ユニット３と、ケーシング２内に表示ユニット３を出し入れする移動手段としての駆動機構４（図１２ないし図１４に示す）と、検出手段としての一対の検出スイッチ５ａ，５ｂ（図１５及び図１６に示す）と、電源スイッチ（以下、電源ＳＷと記し、図１７に示す）６３と、ＲＯＭ６４（図１７に示す）と、ＣＰＵ６５（図１７に示す）と、制御手段としての制御ユニット６６などを備えている。
【００４４】
ケーシング２は、扁平な箱状に形成されている。ケーシング２は、インパネＤに取り付けられる。ケーシング２の前面２ａには、前述した挿入口２ｂと、自動車の乗員室側に相対向する開口部２ｃとが設けられている。なお、以下、図２などに示す矢印Ｘをカーナビ１の幅方向と記し、矢印Ｙをカーナビ１の奥行き方向と記し、矢印Ｚをカーナビ１の厚み方向と記す。
【００４５】
表示ユニット３は、液晶ディスプレイ（Liquid Crystal Display）などからなる文字や画像などの情報を運転者などに向かって表示して視認させるための表示面としての表示パネル３ａと、この表示パネル３ａを収容する筐体部材３ｂなどを備えている。表示ユニット３は、前記ケーシング２内に、表示パネル３ａが上方又は下方に相対した状態で収容される。表示ユニット３は、駆動機構４によりケーシング２内外に移動自在である。なお、上方は、本明細書に記した一方向をなしており、下方は、本明細書に記した一方向の逆向きの他方向をなしている。表示ユニット３の表示パネル３ａは、前述したナビゲーションユニット９と、再生部１０と、テレビチューナ１１からの情報を表示する。
【００４６】
また、表示ユニット３の筐体部材３ｂには、図１２ないし図１４に示すように、一対の突起１２ａ，１２ｂが設けられている。突起１２ａ，１２ｂは、表示ユニット３がケーシング２内に収容された状態で最も開口部２ｃから離れた則ち最もケーシング２の奥側に位置する表示ユニット３の一端部３ｃから凸に形成されている。また、一対の突起１２ａ，１２ｂは、表示ユニット３がケーシング２内に収容された状態でケーシング２の幅方向Ｘに沿って互いに間隔をあけて配されている。
【００４７】
また、表示ユニット３の背面側（表示パネル３ａの裏側）からみて、一対の突起１２ａ，１２ｂのうち後述の軸芯Ｐの右側（図１３中には上方に位置する）一方の突起１２ａの後述の軸芯Ｐからの距離は、軸芯Ｐの左側（図１３中には下方に位置する）他方の突起１２ｂの軸芯Ｐからの距離より長い。
【００４８】
また、前述した表示ユニット３とケーシング２の前面２ａには、図１及び図２に示すように、操作手段としての操作部６７が設けられている。なお、図１及び図２などには、表示ユニット３に設けられた操作部６７の操作ボタン６８のみ示し、ケーシング２の前面２ａに設けられた操作部６７の操作ボタン６８を省略している。操作部６７は、複数の操作ボタン６８などを備えている。これらの操作ボタン６８則ち操作部６７は、前述した表示パネル３ａに表示する情報を、ナビゲーションユニット９からの情報と、再生部１０からの情報と、テレビチューナ１１からの情報とを切り換えるためなどに用いられる。また、操作ボタン６８則ち操作部６７は、ケーシング２内から表示ユニット３を出し入れするためや、正起立位置又は逆起立位置で、表示ユニット３の向きを調整するためなどに用いられる。このため、操作ボタン６８則ち操作部６７は、正起立位置又は逆起立位置にある表示ユニット３を後述の収容位置に移動させるための指令を発する。
【００４９】
前述した構成の表示ユニット３は、本明細書に記した可動ユニットをなしている。
【００５０】
駆動機構４は、図１２ないし図１４に示すように、固定シャーシ１５と、スライドシャーシ１６と、回動シャーシ１７と、回転支持部１８と、回転支持手段としての回転支持ユニット８０と、回転移動手段としての回転移動ユニット２１を備えている。
【００５１】
固定シャーシ１５は、ケーシング２内に収容されている。固定シャーシ１５は、板金からなり、略平坦な底板２２と、底板２２のケーシング２の幅方向Ｘの両縁から立設した周板２３と、を備えている。底板２２は、ケーシング２に固定されている。
【００５２】
周板２３には、それぞれ、リニアガイド２４が取り付けられている。リニアガイド２４は、直線状に延びたレール２５と、このレール２５の長手方向に沿って移動自在に該レール２５に支持されたスライダ２６と、を備えている。レール２５は、周板２３に固定されている。レール２５の長手方向は、前述したケーシング２の奥行き方向Ｙ則ちケーシング２の奥から開口部２ｃに向かう方向に沿っている。前述した底板２２の表面と、一対の周板２３の表面とは、開口部２ｃの縁と面一となっている。
【００５３】
スライドシャーシ１６は、平板状に形成されており、前述したリニアガイド２４のスライダ２６に固定されている。このため、スライドシャーシ１６は、ケーシング２の奥行き方向Ｙに沿って移動自在に固定シャーシ１５の周板２３則ちケーシング２に支持されている。スライドシャーシ１６は、ケーシング２の奥行き方向Ｙに沿ってスライドすることで、開口部２ｃ内を通って、ケーシング２に出し入れされる。
【００５４】
回動シャーシ１７は、ケーシング２内に収容された状態のスライドシャーシ１６の開口部２ｃ寄りの端部に取り付けられている。回動シャーシ１７は、スライドシャーシ１６にケーシング２の幅方向Ｘを中心として回動自在に支持されている。
【００５５】
回転支持部１８は、ケーシング２内に収容された状態の表示ユニット３の開口部２ｃから離れた側の一端部３ｃ則ち最もケーシング２の奥に位置する一端部３ｃの幅方向Ｘの中央から凸の支柱２７と、回動シャーシ１７に設けられた軸受部２８とを備えている。支柱２７は、円柱状に形成されている。支柱２７の軸芯Ｐ（図１２などに一点鎖線で示す）は、ケーシング２内に表示ユニット３が収容された状態でケーシング２の奥行き方向Ｙに沿いかつ表示ユニット３が後述の視認位置に位置すると鉛直方向則ちケーシング２の厚み方向Ｚに沿う。また、軸芯Ｐは、表示ユニット３の表示パネル３ａと平行である。
【００５６】
軸受部２８は、回動シャーシ１７のケーシング２の幅方向Ｘの中央に設けられている。軸受部２８は、支柱２７をその軸芯Ｐ周りの双方向（図４などに矢印Ｋで示す）に回転自在に支持している。則ち、軸受部２８は、支柱２７を表示ユニット３の表示パネル３ａと平行な軸芯Ｐ周りの双方向Ｋに回転自在に支持する。
【００５７】
前述した構成の回転支持部１８は、軸受部２８が支柱２７を軸芯Ｐ周りの双方向Ｋに回転自在に支持することで、後述の基準位置と視認位置の表示ユニット３を前述した軸芯Ｐ周りの双方向Ｋに回転自在に支持する。
【００５８】
回転支持ユニット８０は、移送手段としての移送ユニット１９と、回転手段としての回転ユニット２０とを備えている。移送ユニット１９は、図１２ないし図１４に示すように、駆動源としてのモータ２９と、一対のラック３０と、回動軸３１と、一対の走行歯車３２と、複数の歯車３３とを備えている。モータ２９は、スライドシャーシ１６に取り付けられているとともに、出力軸にはウォーム３４が取り付けられている。ラック３０は、直線状に延びており、固定シャーシ１５の底板２２のケーシング２の幅方向の両端に取り付けられている。ラック３０は、固定シャーシ１５の底板２２のケーシング２の奥側の端から開口部２ｃ寄りの端に亘って、設けられている。ラック３０の長手方向は、ケーシング２の奥行き方向Ｙと平行である。
【００５９】
回動軸３１は、スライドシャーシ１６のケーシング２の奥側の端部に回転自在に支持されている。回動軸３１の長手方向は、ケーシング２の幅方向Ｘと平行である。走行歯車３２は、回動軸３１の両端部に取り付けられており、この回動軸３１と一体に回転する。走行歯車３２は、ラック３０と噛み合っている。複数の歯車３３は、互いに噛み合っている。これら複数の歯車３３のうち一つは、ウォーム３４と噛み合い、他の一つは回動軸３１に設けられた歯車５０と噛み合っている。このため、複数の歯車３３は、モータ２９の回転駆動力を走行歯車３２に伝達する。
【００６０】
前述した構成によって、移送ユニット１９は、モータ２９が例えば正転駆動すると、走行歯車３２がラック３０上を走行して、スライドシャーシ１６則ち表示ユニット３をケーシング２内に収容された収容位置（図１２に示す）からケーシング２外に排出された（の外部に位置付けられた）基準位置（図１３及び図１４に示す）に向かって、ケーシング２の奥行き方向Ｙに沿って、表示ユニット３を移動する。則ち、移送ユニット１９は、モータ２９が例えば正転駆動すると、開口部２ｃを通して、ケーシング２内の表示ユニット３をケーシング２外に露出させる。
【００６１】
また、移送ユニット１９は、モータ２９が例えば逆転駆動すると、走行歯車３２がラック３０上を走行して、スライドシャーシ１６則ち表示ユニット３を前述の基準位置から収容位置に向かって、ケーシング２の奥行き方向Ｙに沿って移動する。則ち、移送ユニット１９は、モータ２９が例えば逆転駆動すると、開口部２ｃを通して、ケーシング２外の表示ユニット３をケーシング２内に収容する。こうして、移送ユニット１９は、ケーシング２内に収容された収容位置と、ケーシング２内から排出された基準位置とに亘って、表示ユニット３と回動シャーシ１７とスライドシャーシ１６と回転ユニット２０と回転移動ユニット２１と回転支持部１８とを一体に移動する。なお、収容位置は、特許請求の範囲に記載した第１の位置をなしている。基準位置とは、軸芯Ｐが、移送ユニット１９の表示ユニット３を移送する方向と平行な状態を示している。
【００６２】
回転ユニット２０は、図１２ないし図１４に示すように、駆動源としてのモータ３５と、回動軸３６と、一対の伝達歯車３７と、一対の固定歯車３８と、複数の歯車３９とを備えている。モータ３５は、スライドシャーシ１６に取り付けられているとともに、出力軸にはウォーム４０が取り付けられている。
【００６３】
回動軸３６は、スライドシャーシ１６の開口部２ｃ寄りの端部に回転自在に支持されている。回動軸３６の長手方向は、ケーシング２の幅方向Ｘと平行である。伝達歯車３７は、回動軸３６の両端部に取り付けられており、この回動軸３６と一体に回転する。固定歯車３８は、回動シャーシ１７のケーシング２の幅方向Ｘの両端に固定されている。固定歯車３８は、それぞれ、前述の伝達歯車３７と歯車３７ａを介して噛み合っている。
【００６４】
複数の歯車３９は、互いに噛み合っている。これら複数の歯車３９のうち一つは、ウォーム４０と噛み合い、他の一つは一方の伝達歯車３７と噛み合っている。このため、複数の歯車３９は、モータ３５の回転駆動力を伝達歯車３７に伝達する。
【００６５】
前述した構成によって、回転ユニット２０は、モータ３５が例えば正転駆動すると、伝達歯車３７が回転して固定歯車３８を回転させる。すると、固定歯車３８が回動シャーシ１７に固定されているので、表示ユニット３がケーシング２内から排出されて則ち収容位置から移動されて位置する基準位置（図４に示す）から表示パネル３ａが乗員室内の乗員などと相対する図５に示す正起立位置に向かって、回動シャーシ１７則ち表示ユニット３を該表示ユニット３のケーシング２の奥側に位置する一端部３ｃを中心としてケーシング２の幅方向Ｘ周りに回転させる。則ち、回転ユニット２０は、表示ユニット３を、一端部３ｃを中心として回転して、一の方向に起立させて、前述した正起立位置に位置付ける（又は立ち上がらせるともいう）。なお、正起立位置では、表示ユニット３が空調装置５２の操作装置５３の前面５５ａの少なくとも一部を覆う。
【００６６】
また、回転ユニット２０は、モータ３５が例えば逆転駆動すると、伝達歯車３７が回転して固定歯車３８を回転させる。すると、固定歯車３８が回動シャーシ１７に固定されているので、前述の基準位置から表示パネル３ａが乗員室内の乗員などと相対する図８に示す逆起立位置に向かって、回動シャーシ１７則ち表示ユニット３を該表示ユニット３のケーシング２の奥側に位置する一端部３ｃを中心としてケーシング２の幅方向Ｘ周りに回転させる。則ち、回転ユニット２０は、表示ユニット３を、一端部３ｃを中心として回転して、前述した一の方向の逆方向に起立させて、前述した逆起立位置に位置付ける（又は立ち下げるともいう）。こうして、回転ユニット２０は、表示ユニット３を立ち上げて又は立ち下げて、収容位置から移動されて位置する基準位置と、表示パネル３ａに表示した情報を乗員に視認させる正起立位置と、表示パネル３ａに表示した情報を乗員に視認させる逆起立位置とに亘って、表示ユニット３と回動シャーシ１７と回転移動ユニット２１と回転支持部１８とを一体に変位する。なお、逆起立位置では、表示ユニット３が再生装置６１の前面２ａの少なくとも一部を覆う。
【００６７】
さらに、回転ユニット２０は、モータ３５が正転又は逆転駆動して、一端部３ｃを中心として表示ユニット３を回転することで、基準位置に位置付けられた表示ユニット３のケーシング２側の一端を軸支することとなる。即ち、一端部３ｃは、本明細書に記した表示ユニット３のケーシング２側の一端をなしている。なお、前述した基準位置と、正起立位置と、逆起立位置とは、特許請求の範囲に記載されたケーシング２の外部における互いに異なる第２の位置をなしている。さらに、前述した構成の回転支持ユニット８０は、前記収容位置と前記基準位置との間で前記表示ユニット３を移動可能に支持する。回転支持ユニット８０は、前記表示ユニット３の一端を軸支して、前記収容位置から前記ケーシング２の外部に引き出された基準位置と前記基準位置から一の方向に起立した正起立位置とに亘って前記表示ユニット３を前記一端を中心として回転自在に支持するとともに、前記基準位置と前記基準位置から前記一の方向に対しての逆方向に起立した逆起立位置とに亘って前記表示ユニット３を前記一端を中心として回転自在に支持する。
【００６８】
回転移動ユニット２１は、図１２ないし図１４に示すように、駆動源としてのモータ４１と、支柱歯車４２と、複数の歯車４３とを備えている。モータ４１は、回動シャーシ１７に取り付けられているとともに、出力軸にはウォーム４４が取り付けられている。
【００６９】
支柱歯車４２は、前述した支柱２７に固定されており、この支柱２７と同軸に配されている。複数の歯車４３は、互いに噛み合っている。これら複数の歯車４３のうち一つは、ウォーム４４と噛み合い、他の一つは支柱歯車４２と噛み合っている。このため、複数の歯車４３は、モータ４１の回転駆動力を支柱歯車４２に伝達する。
【００７０】
前述した構成によって、回転移動ユニット２１は、モータ４１が例えば正転駆動すると、支柱歯車４２を回転して、表示ユニット３を前述した軸芯Ｐ周りの矢印Ｋのうち時計回りに回転する。この時計回りに表示ユニット３が回転することを、表示ユニット３が右向きに回転するという。
【００７１】
また、回転移動ユニット２１は、モータ４１が例えば逆転駆動すると、支柱歯車４２を回転して、表示ユニット３を前述した軸芯Ｐ周りの矢印Ｋのうち反時計回りに回転する。この反時計回りに表示ユニット３が回転することを、表示ユニット３が左向きに回転するという。このように、回転移動ユニット２１は、表示パネル３ａと平行な軸芯Ｐ周りの双方向Ｋに表示ユニット３を回転させることが可能である。前述した構成の駆動機構４は、前記表示ユニット３を、前記ケーシング２の内部に収容する収容位置と、前記ケーシング２の外部における互いに異なる複数の位置の各々とに亘って移動させる。
【００７２】
一対の検出スイッチ５ａ，５ｂは、図１５及び図１６に示すように、本体部４５と、この本体部４５から突没自在の接触部４６と、を備えている。本体部４５は、回動シャーシ１７に固定されている。接触部４６は、表示ユニット３と相対している。接触部４６は、突起１２ａ，１２ｂと当接することで、この突起１２ａ，１２ｂから押圧されて本体部４５内に没する。一対の検出スイッチ５ａ，５ｂは、接触部４６が本体部４５内に没すると、オンして、このオンしたことを示す情報を、ＣＰＵ８を介して制御ユニット６６に向けて出力する。
【００７３】
一対の検出スイッチ５ａ，５ｂは、図１２ないし図１４に示すように、ケーシング２の幅方向Ｘに沿って並べられている。一方の検出スイッチ５ａと軸芯Ｐとの距離は、一方の突起１２ａと軸芯Ｐとの距離に等しい。他方の検出スイッチ５ｂと軸芯Ｐとの距離は、他方の突起１２ｂと軸芯Ｐとの距離に等しい。このため、一対の検出スイッチ５ａ，５ｂは、表示パネル３ａが上方又は下方に向くと、いずれか一方の接触部４６が突起１２ａ，１２ｂにより押圧されて本体部４５内に没する。
【００７４】
このように、一対の検出スイッチ５ａ，５ｂは、いずれか一方の接触部４６が突起１２ａ，１２ｂにより本体部４５内に没することで、基準位置にある表示ユニット３の表示パネル３ａが上方と下方のいずれかに相対していることを検出する。そして、一対の検出スイッチ５ａ，５ｂは、いずれか一方がオンしたことを示す情報をＣＰＵ８を介して制御ユニット６６に向けて出力することで、表示パネル３ａが上方と下方のいずれかに相対していることを示す情報をＣＰＵ８を介して制御ユニット６６に向けて出力する。
【００７５】
なお、図示例では、図１２及び図１３に示すように、表示パネル３ａが下方に相対していると、図１５に示すように、一対の検出スイッチ５ａ，５ｂのうちケーシング２の幅方向Ｘに沿って外側に位置する一方の検出スイッチ５ａの接触部４６に突起１２ａが接触して、該一方の検出スイッチ５ａがオンになる。また、図１４に示すように、表示パネル３ａが上方に相対していると、図１６に示すように、一対の検出スイッチ５ａ，５ｂのうちケーシング２の幅方向Ｘに沿って内側に位置する他方の検出スイッチ５ｂの接触部４６に突起１２ｂが接触して、該他方の検出スイッチ５ｂがオンになる。
【００７６】
ＲＯＭ６４は、カーナビ１を動作されるためのプログラムなどを記憶している。ＲＯＭ６４は、ＣＰＵ６５を後述するように動作するためのプログラムを記憶している。
【００７７】
電源ＳＷ６３は、自動車の乗員又は使用者などに操作されることで、表示装置５１をオン・オフする情報が入力される。
【００７８】
ＣＰＵ６５は、図１７に示すように、前述した駆動機構４の各モータ２９，３５，４１と、検出スイッチ５ａ，５ｂと、ＲＯＭ６４などと接続しており、これらを制御する。ＣＰＵ６５は、制御ユニット６６の後述するＣＰＵ７０からの命令通りに前述したモータ２９，３５，４１を制御して、表示ユニット３を収容位置と、基準位置と、正起立位置と、逆起立位置とに亘って、変位させる。
【００７９】
また、ＣＰＵ６５は、電源ＳＷ６３がオンされると、前述した検出スイッチ５ａ，５ｂからの情報を制御ユニット６６に向けて出力する。
【００８０】
制御ユニット６６は、図１７に示すように、空調装置５２のＣＰＵ６０、再生装置６１のＣＰＵ８、表示装置５１のＣＰＵ６５などと接続しており、これらの動作をつかさどることで、カーナビ１全体の制御をつかさどる。即ち、制御ユニット６６は、表示装置５１の制御をつかさどるとともに、勿論、制御ユニット６６は、駆動機構４を制御する。制御ユニット６６は、図１７に示すように、ＲＯＭ６９と、記憶手段としてのＥＰＲＯＭ７と、ＣＰＵ７０などを備えている。
【００８１】
ＲＯＭ６９は、カーナビ１を動作されるためのプログラムなどを記憶している。ＲＯＭ６９は、ＣＰＵ７０を後述するように動作するためのプログラムを記憶している。
【００８２】
ＥＰＲＯＭ７は、周知の不揮発性メモリであり、空調装置５２の操作部５７の操作回数をＣＰＵ７０によって書き込まれる。ＥＰＲＯＭ７は、再生装置６１の操作部１３の操作回数をＣＰＵ７０によって書き込まれる。
【００８３】
ＣＰＵ７０は、表示装置５１のＣＰＵ６５を介して、駆動機構４即ち回転ユニット２０と、回転移動ユニット２１などを制御する。ＣＰＵ７０は、空調装置５２の操作部５７が操作されたことを示す情報が入力すると、該操作回数を数え、この操作回数をＥＰＲＯＭ７に書き込む。ＣＰＵ７０は、再生装置６１の操作部１３が操作されたことを示す情報が入力すると、該操作回数を数え、この操作回数をＥＰＲＯＭ７に書き込む。
【００８４】
ＣＰＵ７０は、ケーシング２内に表示ユニット３が収容された状態で、操作部６７の操作ボタン６８などから表示ユニット３をケーシング２外に排出して正起立位置又は逆起立位置に位置付ける命令が入力する又は前述したセンサから挿入口２ｂ内にＤＶＤ−ＲＯＭやＤＶＤビデオが侵入したことを示す情報が入力すると、表示装置５１のＣＰＵ６０に向かって、表示ユニット３をケーシング２外に排出させるための命令を出力する。
【００８５】
すると、表示装置５１のＣＰＵ６０は、前記モータ２９を正転駆動させて、表示ユニット３を、回動シャーシ１７とスライドシャーシ１６と回転支持部１８と回転ユニット２０と回転移動ユニット２１毎ケーシング２の奥行き方向に沿って、開口部２ｃを通して、徐々にケーシング２外に排出する。そして、ＣＰＵ６０は、ＲＯＭ５９に予め記憶された所定回転数モータ２９が正転駆動すると、該モータ２９を停止する。
【００８６】
また、ＣＰＵ７０は、空調装置５２のＣＰＵ６０からの空調装置５２が稼働中であるか否かを示す情報と、再生装置６１のＣＰＵ８からの再生装置６１が稼働中であるか否かを示す情報と、に基づいて、これら装置５２，６１のうち少なくとも一方が稼働中であるか否かを判定する。
【００８７】
さらに、ＣＰＵ７０は、表示装置５１のＣＰＵ６５を介して入力した一対の検出スイッチ５ａ，５ｂうちいずかの検出スイッチ５ａ，５ｂがオンであるかを判別して、表示ユニット３の表示パネル３ａが相対する方向が上方であるか下方であるかを判別する。
【００８８】
ＣＰＵ７０は、空調装置５２と再生装置６１との双方が非稼働状態であると判定すると、表示パネル３ａが乗員に相対するように、モータ３５のみを正転又は逆転駆動させるための命令を、表示装置５１のＣＰＵ６５に向かって出力する。すると、表示装置５１のＣＰＵ６５は、モータ３５のみを正転又は逆転駆動して、表示ユニット３を立ち上げる又は立ち下げる。
【００８９】
また、ＣＰＵ７０は、空調装置５２と再生装置６１とのうち少なくとも一方が稼働中であると判定すると、空調装置５２と再生装置６１との双方が稼働中であるか否かを判定する。ＣＰＵ７０は、空調装置５２と再生装置６１との双方が稼働中ではない即ち空調装置５２と再生装置６１とのうち一方のみが稼働中であると判定すると、空調装置５２即ち表示装置５１より上方（一の方向）の機器が稼働中であるか否かを判定する。
【００９０】
ＣＰＵ７０は、空調装置５２即ち上方の機器が非稼働中であると判定すると、モータ３５を正転駆動させるための命令と、前述した検出スイッチ５ａ，５ｂからの情報に応じて、モータ３５を正転駆動した際に表示パネル３ａが乗員に相対するためのモータ４１を駆動して表示ユニット３を軸芯Ｐ周りに１８０°回転させるか否かを示す命令と、を表示装置５１のＣＰＵ６５に向かって出力する。すると、表示装置５１のＣＰＵ６５は、必要に応じてモータ４１を駆動して、表示ユニット３を軸芯Ｐ周りに１８０°回転させるとともに、モータ３５を正転駆動して、表示ユニット３を立ち上げる。即ち、ＣＰＵ７０は、表示ユニット３を正起立位置に位置付ける。このように、ＣＰＵ７０即ち制御ユニット６６は、再生装置６１が稼働しており、空調装置５２が非稼働状態であるときに、表示ユニット３を正起立位置に位置付けるように、回転支持ユニット８０と回転移動ユニット２１を制御する。
【００９１】
また、ＣＰＵ７０は、空調装置５２即ち上方の機器が稼働中であると判定すると、モータ３５を逆転駆動させるための命令と、前述した検出スイッチ５ａ，５ｂからの情報に応じて、モータ３５を逆転駆動した際に表示パネル３ａが乗員に相対するためのモータ４１を駆動して表示ユニット３を軸芯Ｐ周りに１８０°回転させるか否かを示す命令と、を表示装置５１のＣＰＵ６５に向かって出力する。すると、表示装置５１のＣＰＵ６５は、必要に応じてモータ４１を駆動して、表示ユニット３を軸芯Ｐ周りに１８０°回転させるとともに、モータ３５を逆転駆動して、表示ユニット３を立ち下げる。即ち、ＣＰＵ７０は、表示ユニット３を逆起立位置に位置付ける。このように、ＣＰＵ７０即ち制御ユニット６６は、空調装置５２が稼働しており、再生装置６１が非稼働状態であるときに、表示ユニット３を逆起立位置に位置付けるように、回転支持ユニット８０と回転移動ユニット２１を制御する。
【００９２】
こうして、ＣＰＵ７０即ち制御ユニット６６は、空調装置５２と再生装置６１のうち一方が稼働しているときに、該稼働中の装置（他の機器）の前面を覆うことを規制するように、表示ユニット３を正起立位置と逆起立位置とのうち一方に位置付けるように、回転支持ユニット８０と回転移動ユニット２１を制御する。また、ＣＰＵ７０即ち制御ユニット６６は、空調装置５２と再生装置６１の稼働状態と、検出スイッチ５ａ，５ｂが検出した表示パネル３ａが相対している方向（検出結果）とに応じて、該稼働中の装置（他の機器）の前面を覆うことを規制するように、基準位置にある表示ユニット３を正起立位置と逆起立位置とのうちいずれかに位置付けるように、回転支持ユニット８０と回転移動ユニット２１を制御する。
【００９３】
さらに、ＣＰＵ７０は、空調装置５２と再生装置６１とのうち双方が稼働中であると判定すると、ＥＰＲＯＭ７に記憶された操作回数に基づいて、空調装置５２の操作回数が再生装置６１の操作回数より多いか否かを判定する。
【００９４】
ＣＰＵ７０は、空調装置５２の操作回数の方が少ないと判定すると、モータ３５を正転駆動させるための命令と、前述した検出スイッチ５ａ，５ｂからの情報に応じて、モータ３５を正転駆動した際に表示パネル３ａが乗員に相対するためのモータ４１を駆動して表示ユニット３を軸芯Ｐ周りに１８０°回転させるか否かを示す命令と、を表示装置５１のＣＰＵ６５に向かって出力する。すると、表示装置５１のＣＰＵ６５は、必要に応じてモータ４１を駆動して、表示ユニット３を軸芯Ｐ周りに１８０°回転させるとともに、モータ３５を正転駆動して、表示ユニット３を立ち上げる。即ち、ＣＰＵ７０は、表示ユニット３を正起立位置に位置付ける。
【００９５】
また、ＣＰＵ７０は、空調装置５２の操作回数の方が多いと判定すると、モータ３５を逆転駆動させるための命令と、前述した検出スイッチ５ａ，５ｂからの情報に応じて、モータ３５を逆転駆動した際に表示パネル３ａが乗員に相対するためのモータ４１を駆動して表示ユニット３を軸芯Ｐ周りに１８０°回転させるか否かを示す命令と、を表示装置５１のＣＰＵ６５に向かって出力する。すると、表示装置５１のＣＰＵ６５は、必要に応じてモータ４１を駆動して、表示ユニット３を軸芯Ｐ周りに１８０°回転させるとともに、モータ３５を逆転駆動して、表示ユニット３を立ち下げる。即ち、ＣＰＵ７０は、表示ユニット３を逆起立位置に位置付ける。このように、ＣＰＵ７０即ち制御ユニット６６は、空調装置５２と再生装置６１との双方が稼働しているときに、表示ユニット３が操作回数の少ない方の前面の少なくとも一部を覆うように、回転支持ユニット８０と回転移動ユニット２１を制御する。こうして、ＣＰＵ７０即ち制御ユニット６６は、空調装置５２と再生装置６１との双方が稼働しているときに、空調装置５２の操作回数と再生装置６１の操作回数とに基づいて、表示ユニット３を正起立位置と逆起立位置とのうち一方に位置付けるように、回転支持ユニット８０と回転移動ユニット２１を制御する。
【００９６】
前述したように、本実施例のＣＰＵ７０即ち制御ユニット６６は、空調装置５２の稼働状態と、再生装置６１の稼働状態に応じて、駆動機構４に表示ユニット３をケーシング２の外部における互いに異なる複数の位置（正起立位置および逆起立位置）のいずれかの位置に位置付けさせる。
【００９７】
また、表示装置５１のＣＰＵ６５は、表示ユニット３が正起立位置又は逆起立位置に位置付けられた状態で、前述した操作部１３，６７の操作ボタン１４，６８からの命令にしたがって、モータ４１を回転して、表示ユニット３の向きを変更する。さらに、表示装置５１のＣＰＵ６５は、操作ボタン１４，６８からの命令にしたがって、ナビゲーションユニット９と再生部１０とテレビチューナ１１からの情報のうち表示ユニット３の表示パネル３ａに表示するものを適宜変更する。
【００９８】
次に、前述した構成のカーナビ１即ち表示装置５１の動作を説明する。図２に示すように、ケーシング２内に表示ユニット３を収容した状態（則ち、表示ユニット３が収容位置に位置付けられた状態）で、表示ユニット３をケーシング２外に排出する際には、まず、制御ユニット６６のＣＰＵ７０は、図１８中のステップＳ１で、図示しない操作ボタン６８のうち表示ユニット３をケーシング２外に排出するため（引き出し用）の則ち表示ユニット３を視認位置に位置付けるための操作ボタン６８が操作された否かと、センサが挿入口２ｂ内にＤＶＤ−ＲＯＭ又はＤＶＤビデオが挿入されたか否かを判定する。即ち、ステップＳ１では、制御ユニット６６のＣＰＵ７０は、表示ユニット３をケーシング２外に排出するための引き出し指令が入力したか否かを判定する。なお、電源ＳＷ６３をオンした後、前述した引き出し指令が入力しても良く、前述した引き出し指令が入力することで、電源ＳＷ６３をオンにしても良い。制御ユニット６６のＣＰＵ７０は、引き出し指令が入力するまで、ステップＳ１を繰り返し、引き出し指令が入力すると、ステップＳ２に進む。
【００９９】
ステップＳ２では、制御ユニット６６のＣＰＵ７０は、表示装置５１のＣＰＵ６５に向かって、表示ユニット３を収容位置から基準位置に向かって移動するための（即ち、表示ユニット３をケーシング２の外部に排出させるための）命令を出力する。すると、表示装置５１のＣＰＵ６５は、移送ユニット１９のモータ２９を正転駆動して、図３に示すように、開口部２ｃを通して、表示ユニット３を徐々にケーシング２外に排出する。そして、ステップＳ３に進む。ステップＳ３では、表示装置５１のＣＰＵ６５は、ＲＯＭ６４に予め記憶された移送ユニット１９が収容位置から基準位置に表示ユニット３を位置付けるためのモータ２９の所定回転数前記移送ユニット１９のモータ２９が回転したか否かを判定する。
【０１００】
このように、ステップＳ３では、表示装置５１のＣＰＵ６５は、表示ユニット３が基準位置に位置付けられたか否か則ち表示ユニット３をケーシング２内から引き出すことが完了したか否かを判定する。そして、ステップＳ３では、モータ２９が所定回転数回転するまで則ち表示ユニット３をケーシング２内から引き出すことが完了するまで、ステップＳ３を繰り返し、モータ２９が所定回転数回転すると則ち表示ユニット３をケーシング２内から引き出すことが完了して、図４に示すように、表示ユニット３が基準位置に位置付けられると、ステップＳ４に進む。
【０１０１】
ステップＳ４では、制御ユニット６６のＣＰＵ７０は、空調装置５２と再生装置６１とのうち少なくとも一方が稼働中であるか否かを判定する。ステップＳ４で、空調装置５２と再生装置６１との双方が非稼働状態であると判定すると、ステップＳ５に進み、空調装置５２と再生装置６１とのうち少なくとも一方が稼働中であると判定すると、ステップＳ１０に進む。
【０１０２】
ステップＳ５では、制御ユニット６６のＣＰＵ７０は、一対の検出スイッチ５ａ，５ｂからの情報により、表示パネル３ａが、図５及び図８に示すように、上方に向いているか否かを判定する。表示パネル３ａが、図５及び図８に示すように、上方に向いていると判定するとステップＳ８に進み、上方に向いていない則ち図４及び図９に示すように下方に向いていると判定するとステップＳ６に進む。
【０１０３】
ステップＳ６では、制御ユニット６６のＣＰＵ７０は、表示装置５１のＣＰＵ６５に向かって、表示ユニット３を正起立位置に位置付けるための命令（モータ３５を正転駆動するための命令）を出力する。表示装置５１のＣＰＵ６５は、回転ユニット２０のモータ３５を正転駆動して、ステップＳ７に進む。ステップＳ７では、表示装置５１のＣＰＵ６５は、ＲＯＭ６４に予め記憶された回転ユニット２０が基準位置から正起立位置に表示ユニット３を位置付けるためのモータ３５の所定回転数前記回転ユニット２０のモータ３５が回転したか否かを判定する。このように、ステップＳ７では、表示装置５１のＣＰＵ６５は、表示ユニット３が正起立位置に位置付けられたか否か則ち表示ユニット３を立ち上げたか否かを判定する。
【０１０４】
そして、ステップＳ７では、モータ３５が所定回転数回転するまで則ち表示ユニット３が立ち上げられるまで、ステップＳ７を繰り返す。モータ３５が所定回転数回転すると則ち表示ユニット３が立ち上げられると、表示ユニット３が、基準位置から一端部３ｃを中心として回転して、図６及び図７に示すように、立ち上げられて正起立位置に位置付けられる。すると、表示ユニット３により空調装置５２の前面５５ａの少なくとも一部が覆われる。
【０１０５】
ステップＳ８では、制御ユニット６６のＣＰＵ７０は、表示装置５１のＣＰＵ６５に向かって、表示ユニット３を逆起立位置に位置付けるための命令（モータ３５を逆転駆動するための命令）を出力する。表示装置５１のＣＰＵ６５は、回転ユニット２０のモータ３５を逆転駆動して、ステップＳ９に進む。ステップＳ９では、ＣＰＵ６５は、ＲＯＭ６４に予め記憶された回転ユニット２０が基準位置から逆起立位置に表示ユニット３を位置付けるためのモータ３５の所定回転数を、前記回転ユニット２０のモータ３５が回転したか否かを判定する。このように、ステップＳ９では、ＣＰＵ６５は、表示ユニット３が逆起立位置に位置付けられたか否か則ち表示ユニット３を立ち下げたか否かを判定する。
【０１０６】
そして、ステップＳ９では、モータ３５が所定回転数回転するまで則ち表示ユニット３が立ち下げられるまで、ステップＳ９を繰り返す。モータ３５が所定回転数回転すると則ち表示ユニット３が立ち下げられると、表示ユニット３が、基準位置から一端部３ｃを中心として回転して、図１０及び図１１に示すように、立ち下げられて逆起立位置に位置付けられる。すると、表示ユニット３により再生装置６１の前面２ａの少なくとも一部が覆われる。
【０１０７】
ステップＳ１０では、制御ユニット６６のＣＰＵ７０は、空調装置５２と再生装置６１との両方が稼働中であるか否かを判定する。空調装置５２と再生装置６１との両方が稼働中であると判定すると、図１９に示すステップＳ１２に進み、空調装置５２と再生装置６１とのうち一方のみが稼働中であると判定すると、ステップＳ１１に進む。
【０１０８】
ステップＳ１１では、制御ユニット６６のＣＰＵ７０は、空調装置５２が稼働中であるか否かを判定する。空調装置５２が稼働中と判定すると、ステップＳ８に進み、空調装置５２が非稼働状態であると判定すると、ステップＳ６に進む。ステップＳ６では、制御ユニット６６のＣＰＵ７０は、検出スイッチ５ａ，５ｂからの情報に基づいて、正起立位置で表示パネル３ａが乗員に相対するために表示ユニット３を軸芯Ｐ周りに１８０°回転しなければならないか否かを判定して、この判定結果（即ち、表示ユニット３を軸芯Ｐ周りに１８０°回転するか否かを示す命令）と、表示ユニット３を正起立位置に位置付けるための命令を表示装置５１のＣＰＵ６５に向かって出力する。すると、表示装置５１のＣＰＵ６５は、図５に示す表示パネル３ａが上向きの状態では、モータ４１で表示ユニット３を軸芯Ｐ周りに１８０°回転して図４に示す表示パネル３ａが下向きの状態に、表示ユニット３を位置付けた後、表示ユニット３を正起立位置に位置付ける。また、表示装置５１のＣＰＵ６５は、図４に示す表示パネル３ａが下向きの状態では、モータ４１を駆動することなく、表示ユニット３を正起立位置に位置付ける。そして、前述したステップＳ７に進む。
【０１０９】
ステップＳ８では、制御ユニット６６のＣＰＵ７０は、検出スイッチ５ａ，５ｂからの情報に基づいて、逆起立位置で表示パネル３ａが乗員に相対するために表示ユニット３を軸芯Ｐ周りに１８０°回転しなければならないか否かを判定して、この判定結果（即ち、表示ユニット３を軸芯Ｐ周りに１８０°回転するか否かを示す命令）と、表示ユニット３を逆起立位置に位置付けるための命令を表示装置５１のＣＰＵ６５に向かって出力する。すると、表示装置５１のＣＰＵ６５は、図９に示す表示パネル３ａが下向きの状態では、モータ４１で表示ユニット３を軸芯Ｐ周りに１８０°回転して図８に示す表示パネル３ａが上向きの状態に、表示ユニット３を位置付けた後、表示ユニット３を逆起立位置に位置付ける。また、表示装置５１のＣＰＵ６５は、図８に示す表示パネル３ａが上向きの状態では、モータ４１を駆動することなく、表示ユニット３を逆起立位置に位置付ける。そして、前述したステップＳ９に進む。
【０１１０】
また、ステップＳ１２では、ＥＰＲＯＭ７に記憶されている空調装置５２の操作回数と、再生装置６１の操作回数とを読み出して、制御ユニット６６のＣＰＵ７０は、空調装置５２の操作回数が、再生装置６１の操作回数より多いか少ないかを判定する。空調装置５２の操作回数が、再生装置６１の操作回数より多いと判定すると、前述したステップＳ８に進み、空調装置５２の操作回数が、再生装置６１の操作回数より少ないと判定すると、前述したステップＳ６に進む。
【０１１１】
こうして、表示装置５１の表示ユニット３は、正起立位置又は逆起立位置に位置付けられる。そして、正起立位置又は逆起立位置において、操作ボタン１４，６８からの命令にしたがって、表示装置５１は、表示パネル３ａに、ナビゲーションユニット９と再生部１０とテレビチューナ１１からの情報を表示する。また、正起立位置又は逆起立位置において、図６及び図１０中の二点鎖線で示すように、操作ボタン１４，６８からの命令にしたがって、表示装置５１は、表示ユニット３の表示パネル３ａの軸芯Ｐ周りの向きを適宜変更する。
【０１１２】
本実施例によれば、他の機器としての空調装置５２の操作装置５３と再生装置６１の稼働状態に応じて、表示ユニット３をケーシング２の外部の位置としての正起立位置又は逆起立位置に位置付けさせるようにしている。こうすることで、稼働中の他の機器としての空調装置５２の操作装置５３の前面５５ａと再生装置６１の前面２ａを表示ユニット３が覆うことを防止できる。
【０１１３】
駆動機構４が表示ユニット３のケーシング２寄りの一端部３ｃを軸支して、該表示ユニット３を基準位置と正起立位置と逆起立位置とに亘って回転させる回転ユニット２０を備えているので、表示パネル３ａで表示する画像を使用者が視認できる位置に、表示ユニット３を確実に位置付けることができる。
【０１１４】
前記回転支持ユニット８０は、前記収容位置と前記基準位置との間で前記表示ユニット３を移動可能に支持するので、表示ユニット３の非使用時には該表示ユニット３を収容位置に位置付けることができる。したがって、非使用状態の表示ユニット３が他の機器の操作などの妨げになることを防止できる。
【０１１５】
また、表示ユニット３を正起立位置と逆起立位置とのうち一方に位置付けるので、他の機器としての空調装置５２の操作装置５３と再生装置６１の稼動状態に応じて、特に稼働中の他の機器としての空調装置５２の操作装置５３の前面５５ａと再生装置６１の前面２ａを覆うことがないように、表示ユニット３を正起立位置と逆起立位置とのうち一方に位置付けることができる。したがって、特に稼働中の他の機器としての空調装置５２の操作装置５３の前面５５ａと再生装置６１の前面２ａを覆うことなく、表示パネル３ａで表示する画像を使用者が視認できる位置に、表示ユニット３を確実に位置付けることができる。
【０１１６】
基準位置の表示ユニット３の表示パネル３ａの向きを検出する検出スイッチ５ａ，５ｂと、表示パネル３ａと平行な軸芯Ｐ周りの双方に表示ユニット３を回転させる回転移動ユニット２１と、を備えているので、ケーシング２内の表示ユニット３の表示パネル３ａの向きが如何なる向きであっても、特に稼働中の他の機器としての空調装置５２の操作装置５３の前面５５ａと再生装置６１の前面２ａを覆うことなく、表示ユニット３を正起立位置と逆起立位置とのうち一方に位置付けることができる。また、表示パネル３ａで表示する画像を使用者が視認できる位置に、表示ユニット３を確実に位置付けることができる。
【０１１７】
制御ユニット６６が、稼働中の他の機器としての空調装置５２の操作装置５３の前面５５ａと再生装置６１の前面２ａを表示ユニット３が覆わないように、回転支持ユニット８０と回転移動ユニット２１を制御する。即ち、第１の他の機器としての空調装置５２の操作装置５３が稼働中で第２の他の機器としての再生装置６１が非稼働状態である際に、制御ユニット６６が、表示ユニット３を逆起立位置に位置付けるように、回転支持ユニット８０と回転移動ユニット２１を制御し、第１の他の機器としての空調装置５２の操作装置５３が非稼働状態で、第２の他の機器としての再生装置６１が稼働中である際に、制御ユニット６６が、表示ユニット３を正起立位置に位置付けるように、回転支持ユニット８０と回転移動ユニット２１を制御するので、稼働中の他の機器としての空調装置５２の操作装置５３の前面５５ａと再生装置６１の前面２ａを表示ユニット３が覆うことを防止できる。
【０１１８】
第１の他の機器としての空調装置５２の操作装置５３の操作回数と、第２の他の機器としての再生装置６１の操作回数とを記憶するＥＰＲＯＭ７を更に備えて、該ＥＰＲＯＭ７の記憶した操作回数に基づいて、制御ユニット６６が回転支持ユニット８０と回転移動ユニット２１を制御する。即ち、制御ユニット６６は、表示ユニット３が操作回数の少ない方を覆うように、回転支持ユニット８０と回転移動ユニット２１を制御する。このため、第１の他の機器としての空調装置５２の操作装置５３と、第２の他の機器としての再生装置６１との双方が稼働中である場合に、例えば操作回数の多い方の前面を、表示ユニット３が覆うことを防止できる。
【０１１９】
前述した実施例では、空調装置５２の操作装置５３の操作回数と、再生装置６１の操作回数とをＥＰＲＯＭ７に記憶して、ステップＳ１２で空調装置５２の操作装置５３の全操作回数と、再生装置６１の全操作回数とを読み出している。しかしながら、本発明では、例えば１時間などの最近の所定期間内の操作回数に基づいて、表示ユニット３を、正起立位置又は逆起立位置に位置付けるようにしても良い。
【０１２０】
また、前述した実施例では、第１の他の機器として空調装置５２の操作装置５３を示し、第１の他の機器として再生装置６１を示している。しかしながら、本発明では、第１及び第２の他の機器としての種々の電子機器を用いても良いことは勿論である。
【０１２１】
前述した実施例では、可動ユニットとしては、表示面としての表示パネル３ａを有した表示ユニット３を示している。しかしながら、本発明では、可動ユニットは、表示ユニット３以外の種々の電子ユニットであっても良い。前述した実施例では、表示ユニット３をケーシング２内に収容可能にしている。しかしながら、本発明では、表示ユニット３をケーシング２内に収容しなくても良い。この場合、基準位置が、特許請求の範囲に記載された第１の位置をなす。
【０１２２】
さらに、前述した実施例では、制御ユニット６６のＣＰＵ７０と、表示装置５１のＣＰＵ６５とを別体にしている。しかしながら、本発明では、これらのＣＰＵ７０，６５を一体にしても良い。
【０１２３】
前述した実施例によれば、以下のカーナビ１が得られる。
【０１２４】
（付記１）
ケーシング２の内外に移動自在な表示ユニット３と、
前記表示ユニット３を、前記ケーシング２の内部に収容する収容位置と、前記ケーシング２の外部における互いに異なる複数の位置の各々とに亘って移動させる駆動機構４と、
前記駆動機構４を制御する制御ユニット６６と、を備えた表示装置５１であって、
前記制御ユニット６６は、前記表示ユニット３が前記複数の位置のうち少なくとも一つの位置に位置付けられた際に、前面２ａ，５５ａの少なくとも一部が覆われる他の機器６１，５３の稼働状態に応じて、前記表示ユニット３を前記複数の位置のいずれかの位置に位置付けさせることを特徴とするカーナビ１。
【０１２５】
（付記２）
前記表示ユニット３は、画像を表示可能な表示パネル３ａを有し、
前記駆動機構４は、前記表示ユニット３の一端部３ｃを軸支して、前記収容位置から前記ケーシング２の外部に引き出された基準位置と前記基準位置から一の方向に起立した正起立位置とに亘って前記表示ユニット３を前記一端部３ｃを中心として回転自在に支持するとともに、前記基準位置と前記基準位置から前記一の方向に対しての逆方向に起立した逆起立位置とに亘って前記表示ユニット３を前記一端部３ｃを中心として回転自在に支持する回転支持ユニット８０を備えたことを特徴とする付記１記載のカーナビ１。
【０１２６】
（付記３）
前記回転支持ユニット８０は、前記収容位置と前記基準位置との間で前記表示ユニット３を移動可能に支持することを特徴とする付記２記載のカーナビ１。
【０１２７】
（付記４）
前記制御ユニット６６は、前記表示ユニット３が前記正起立位置と前記逆起立位置の少なくとも一つの位置に位置付けられた際に前面２ａ，５５ａの少なくとも一部が覆われる他の機器６１，５３の稼働状態に応じて、前記表示ユニット３を前記正起立位置と前記逆起立位置のいずれかの位置に位置付けるように、前記回転支持ユニット８０を制御することを特徴とする付記２に記載のカーナビ１。
【０１２８】
（付記５）
前記制御ユニット６６は、前記表示ユニット３が前記正起立位置と前記逆起立位置の少なくとも一つの位置に位置付けられた際に前面２ａ，５５ａの少なくとも一部が覆われる他の機器６１，５３の稼働状態に応じて、前記基準位置にある前記表示ユニット３を前記正起立位置と前記逆起立位置のいずれかの位置に位置付けるように、前記回転支持ユニット８０を制御することを特徴とする付記３に記載のカーナビ１。
【０１２９】
（付記６）
前記制御ユニット６６は、前記他の機器６１，５３が稼働しているときに、該稼働中の他の機器６１，５３の前面２ａ，５５ａを覆うことを規制するように、前記表示ユニット３を前記正起立位置と前記逆起立位置のいずれかの位置に位置付けるように、前記回転支持ユニット８０を制御することを特徴とする付記２ないし付記５のうちいずれか一項に記載のカーナビ１。
【０１３０】
（付記７）
前記制御ユニット６６は、前記表示ユニット３が前記正起立位置に位置付けられた際に前面５５ａの少なくとも一部が覆われる第１の他の機器５３が稼働しており、前記表示ユニット３が前記逆起立位置に位置付けられた際に前面２ａの少なくとも一部が覆われる第２の他の機器６１が非稼働状態であるときに、前記表示ユニット３を前記逆起立位置に位置付けるように、前記回転支持ユニット８０を制御することを特徴とする付記２ないし付記６のうちいずれか一項に記載のカーナビ１。
【０１３１】
（付記８）
前記制御ユニット６６は、前記表示ユニット３が前記正起立位置に位置付けられた際に前面５５ａの少なくとも一部が覆われる第１の他の機器５３が非稼働状態であり、前記表示ユニット３が前記逆起立位置に位置付けられた際に前面２ａの少なくとも一部が覆われる第２の他の機器６１が稼働しているときに、前記表示ユニット３を前記正起立位置に位置付けるように、前記回転支持ユニット８０を制御することを特徴とする付記２ないし付記６のうちいずれか一項に記載のカーナビ１。
【０１３２】
（付記９）
前記第１の他の機器５３の操作回数と、前記第２の他の機器６１の操作回数との双方を記憶するＥＰＲＯＭ７を更に備え、
前記制御ユニット６６は、前記第１の他の機器５３と前記第２の他の機器６１との双方が稼働しているときに、前記第１の他の機器５３の操作回数と、前記第２の他の機器６１の操作回数とに基づいて、前記表示ユニット３を前記正起立位置と前記逆起立位置のいずれかの位置に位置付けるように、前記回転支持ユニット８０を制御することを特徴とする付記７又は付記８に記載のカーナビ１。
【０１３３】
（付記１０）
前記制御ユニット６６は、前記第１の他の機器５３と前記第２の他の機器６１との双方が稼働しているときに、前記第１の他の機器５３と前記第２の他の機器６１のうち操作回数の少ない方の前面５５ａ，２ａの少なくとも一部を覆うように、前記表示ユニット３を前記正起立位置と前記逆起立位置のいずれかの位置に位置付けるべく前記回転支持ユニット８０を制御することを特徴とする付記９に記載のカーナビ１。
【０１３４】
（付記１１）
前記基準位置にある表示ユニット３の前記表示パネル３ａが一方向とこの一方向に対して逆向きの他方向とのいずれかに相対していることを検出する検出スイッチ５ａ，５ｂを更に備え、
前記駆動機構４は、前記回転支持ユニット８０に加えて前記表示パネル３ａと平行な軸芯Ｐ周りの双方向に前記表示ユニット３を回転させることが可能な回転移動ユニット２１を備え、
前記制御ユニット６６は、前記表示ユニット３が前記正起立位置又は前記逆起立位置に位置付けられた際に前面２ａ，５５ａの少なくとも一部が覆われる他の機器６１，５３の稼働状態に加えて、前記検出スイッチ５ａ，５ｂの検出結果に応じて、前記回転支持ユニット８０とともに前記回転移動ユニット２１を制御することを特徴とする付記２ないし付記１０のうちいずれか一項に記載のカーナビ１。
【０１３５】
（付記１２）
移動自在な表示ユニット３と、
前記表示ユニット３を、第１の位置と互いに異なる複数の第２の位置の各々とに亘って移動させる駆動機構４と、
前記駆動機構４を制御する制御ユニット６６と、を備え、
前記制御ユニット６６は、前記表示ユニット３が前記複数の第２の位置の少なくとも一つの位置に位置付けられた際に前面２ａ，５５ａの少なくとも一部が覆われる他の機器６１，５３の稼働状態に応じて、前記表示ユニット３を前記複数の第２の位置のいずれかの位置に位置付けさせることを特徴とするカーナビ１。
【０１３６】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【０１３７】
【図１】本発明の一実施例にかかる電子機器としての表示装置を備えたカーナビが自動車のインパネに取り付けられた状態を示す斜視図である。
【図２】図１に示されたカーナビの表示装置の表示ユニットが収容位置に位置付けられた状態を示す斜視図である。
【図３】図２に示された表示ユニットが筐体内から徐々に排出される状態を示す斜視図である。
【図４】図３に示された表示ユニットが基準位置に位置付けられた状態を示す斜視図である。
【図５】図４に示された基準位置の表示ユニットが上方に向いている状態を示す斜視図である。
【図６】図４に示された表示ユニットが基準位置から正起立位置に変位した状態を示す斜視図である。
【図７】図６に示された正起立位置の表示ユニットなどの正面図である。
【図８】図４に示された基準位置で表示ユニットの表示パネルが上方に向いている状態を示す斜視図である。
【図９】図８に示された基準位置の表示ユニットが下方に向いている状態を示す斜視図である。
【図１０】図８に示された表示ユニットが基準位置から逆起立位置に変位した状態を示す斜視図である。
【図１１】図１０に示された逆起立位置の表示ユニットなどの正面図である。
【図１２】図２に示された収容位置でのカーナビの駆動機構を示す平面図である。
【図１３】図４に示された基準位置でのカーナビの駆動機構を示す平面図である。
【図１４】図８に示された基準位置でのカーナビの駆動機構を示す平面図である。
【図１５】図１３中のＸＶ部を拡大して示す説明図である。
【図１６】図１４中のＸＶＩ部を拡大して示す説明図である。
【図１７】図１に示されたカーナビの主要な構成を示すブロック図である。
【図１８】図１に示されたカーナビが表示ユニットを収容位置から基準位置に移動して更に正起立位置又は逆起立位置に位置付ける過程の一部を示すフローチャートである。
【図１９】図１に示されたカーナビが表示ユニットを収容位置から基準位置に移動して更に正起立位置又は逆起立位置に位置付ける過程の残りを示すフローチャートである。
【符号の説明】
【０１３８】
２  ケーシング
２ａ  前面
３  表示ユニット（表示手段、可動ユニット）
３ａ  表示パネル（表示面）
３ｃ  一端部（一端）
４  駆動機構（移動手段）
５ａ，５ｂ  検出スイッチ（検出手段）
７  ＥＰＲＯＭ（記憶手段）
２１  回転移動ユニット（回転移動手段）
５１  表示装置（電子機器）
５３  操作装置（第１の他の機器、他の機器）
５５ａ  前面
６１  再生装置（第２の他の機器、他の機器）
６６  制御ユニット（制御手段）
８０  回転支持ユニット（回転支持手段）
Ｐ  軸芯
【図１】
2006224899.tif 000003
【図２】
2006224899.tif 000004
【図３】
2006224899.tif 000005
【図４】
2006224899.tif 000006
【図５】
2006224899.tif 000007
【図６】
2006224899.tif 000008
【図７】
2006224899.tif 000009
【図８】
2006224899.tif 000010
【図９】
2006224899.tif 000011
【図１０】
2006224899.tif 000012
【図１１】
2006224899.tif 000013
【図１２】
2006224899.tif 000014
【図１３】
2006224899.tif 000015
【図１４】
2006224899.tif 000016
【図１５】
2006224899.tif 000017
【図１６】
2006224899.tif 000018
【図１７】
2006224899.tif 000019
【図１８】
2006224899.tif 000020
【図１９】
2006224899.tif 000021